(57)【特許請求の範囲】
【請求項１】
洗濯水を溜める外槽と、
前記外槽から洗濯水を排水する排水手段と、
前記排水手段に接続され、蛇腹を有し前記外槽の振動により変形する排水ホースと、
下部に配置される合成樹脂製のベース部材と、を備える洗濯機であって、
前記ベース部材には、
略Ｕ字状の断面を持つ前記排水ホースの固定部と、
前記固定部にヒンジによって自在に開閉するように接続された前記排水ホースの押さえ部と、を有し、
前記排水ホースは、
前記洗濯機の据付床面に対して略垂直に、前記排水手段と接続されるとともに、
前記固定部および前記押さえ部により、ホース引出口において前記洗濯機の据付床面に対して略水平になるよう固定され、
前記固定部および前記押さえ部は、
前記固定部と前記押さえ部とで成される略円形断面形状の床面からの高さは、前記洗濯機の据付床面に対して、前記排水ホースと前記排水手段の接続部側に近い側の前記固定部の方が、他端側よりも高く構成され、かつ、
前記排水ホースは、前記排水手段と前記固定部により屈設されて、該排水ホースの蛇腹の凹凸部同士が、運転時にも互いに間隔を有するように配置される
ことを特徴とする洗濯機。
【請求項２】
弾性体を有し、該弾性体を圧縮することにより前記外槽を垂下防振支持する支持装置をさらに備え、
前記固定部の略円形断面形状の中心線と洗濯機の据付床面の角度は、
前記外槽が垂直方向の最下点に位置した状態において、前記排水手段と前記固定部により屈設された前記排水ホースの蛇腹の凹凸部同士が、互いに間隔を有するように配置することを特徴とする請求項１に記載の洗濯機。
【請求項３】
前記外槽に回動自在に内置された洗濯兼脱水槽と、
前記外槽の下部に配置され前記洗濯兼脱水槽を回転駆動する駆動部と、をさらに備え、
前記固定部は、前記外槽下部に設けた前記駆動部の外径よりも後側に配置される
ことを特徴とする請求項１または請求項２に記載の洗濯機。
【請求項４】
前記固定部は、
前記排水ホースを拘止する凸部形状部が形成される
ことを特徴とする請求項１乃至請求項３のいずれか１項に記載の洗濯機。
【発明の詳細な説明】
【技術分野】
【０００１】
本発明は、洗濯機に関するもので、特に排水ホースの固定支持に関する。
【背景技術】
【０００２】
洗濯機の外枠体内に有する外槽は、外枠体上端から吊り下げられた防振装置である吊棒により支持されて外槽内に収納されている。外槽の底部には排水バルブが設けられ、前記排水バルブの片端は排水ホースが挿着されている。また排水ホース他端側部分は、外枠体下部に嵌合された合成樹脂製のベース部材の側壁から外部に延出させて、外槽内に溜められた洗濯水を排水するようにしている。
洗濯機の外槽は脱水運転時において、外槽内に備えられた洗濯兼脱水槽に有する洗濯物のアンバランスによって大きく振動することがある。
外槽が振動すると、これと連動し、排水ホースにも同様に振動が伝達され、外槽下部に螺着された駆動部や外枠体に接触することにより、排水ホースに亀裂や破れ等が生じる可能性がある。
【０００３】
こうした排水ホースの亀裂や破れを防止するために、排水ホースの部位を機内に固定支持している。例えば、特開平５−６８７８５号公報（特許文献１）に記載されているような技術がある。特許文献１記載の技術においては、外槽を収容する外箱にプラスチック製の台板を結合したものにあって、その台板に、外箱から離間させてホース支持部を形成し、排水ホースの機内途中部位をそのホース支持部により支持している。
【先行技術文献】
【特許文献】
【０００４】
【特許文献１】特開平５−６８７８５号公報
【発明の概要】
【発明が解決しようとする課題】
【０００５】
排水ホースの亀裂や破れの問題は、脱水運転時の外槽の振動が主な原因と考えられていた。このため、脱水運転時の洗濯物のアンバランスによって発生する振動を抑制するために、防振装置である吊棒は弾性部材、およびダンパー機構を設けている。
しかしながら、外槽の振動は、脱水運転時の洗濯物のアンバランスによって発生する振動のみではなく、洗濯運転およびすすぎ運転時においても、洗濯水の水流によって外槽が上下方向に振幅を繰り返す振動や、攪拌翼により洗濯物を攪拌することによっても外槽の振動が発生し、排水ホースに悪影響を及ぼすことが徐々に解明されてきた。
【０００６】
特許文献１に記載の技術では、プラスチック製の台板に有するホース支持部が外槽に対し平行に設けられていることから、洗濯及びすすぎ運転時の排水ホースの状態は、外槽からは下部方向に略垂直に伸びているため、外槽とホース支持部の中間部においては直角に曲がる。これにより、排水ホースは柔らかい材料で製造されているため、洗濯及びすすぎ運転時に発生する振動により、直角に曲がっている部分は蛇腹同士がこすれることによって、亀裂や破れが生じる恐れがある。
更に、洗濯機の各工程時に発生する振動の形態は、各々異なる振動形態（上下方向振動、横方向振動等）があり、洗濯機の設置状態や、洗濯物の容量、種類によっても大きく異なるものである。
【０００７】
そこで、本発明は、外槽の振動による排水ホースの亀裂や破れ等を低減する洗濯機を提供することを課題とする。
【課題を解決するための手段】
【０００８】
このような課題を解決するために、本発明に係る洗濯機は、洗濯水を溜める外槽と、前記外槽から洗濯水を排水する排水手段と、前記排水手段に接続され、蛇腹を有し前記外槽の振動により変形する排水ホースと、下部に配置される合成樹脂製のベース部材と、を備える洗濯機であって、前記ベース部材には、略Ｕ字状の断面を持つ前記排水ホースの固定部と、前記固定部にヒンジによって自在に開閉するように接続された前記排水ホースの押さえ部と、を有し、前記排水ホースは、前記洗濯機の据付床面に対して略垂直に、前記排水手段と接続されるとともに、前記固定部および前記押さえ部により、ホース引出口において前記洗濯機の据付床面に対して略水平になるよう固定され、前記固定部および前記押さえ部は、前記固定部と前記押さえ部とで成される略円形断面形状の床面からの高さは、前記洗濯機の据付床面に対して、前記排水ホースと前記排水手段の接続部側に近い側の前記固定部の方が、他端側よりも高く構成され、かつ、前記排水ホースは、前記排水手段と前記固定部により屈設されて、該排水ホースの蛇腹の凹凸部同士が、運転時にも互いに間隔を有するように配置されることを特徴とする。
【発明の効果】
【００１０】
本発明によれば、外槽の振動による排水ホースの亀裂や破れ等を低減する洗濯機を提供することができる。
【図面の簡単な説明】
【００１１】
【図１】本実施形態に係る洗濯機の内部構成を示す模式断面図である。
【図２】本実施形態に係る洗濯機が備えるベース部材を底面側から見た斜視図である。
【図３】ベース部材の排水ホース固定支持部を拡大した図２に示すＡ矢視線底面図である。
【図４】排水弁、排水ホース、ホース固定支持部の関係を示す洗濯機の底面図である。
【図５】ベース部材のホース固定支持部の図３のＢ−Ｂ矢視線断面図である。
【図６】（ａ）は洗濯・すすぎ運転時の本実施形態に係る洗濯機を後方から見た構成模式図であり、（ｂ）は図６（ａ）におけるＰ部拡大図である。
【発明を実施するための形態】
【００１２】
以下、本発明を実施するための形態（以下「実施形態」という）について、適宜図面を参照しながら詳細に説明する。なお、本説明において、同一の要素には同一の番号を付し、重複する説明は省略する。
【００１３】
＜洗濯機＞
図１は、本実施形態に係る洗濯機１の内部構成を示す模式断面図である。
図１に示すように、洗濯機１は、内部機構を内包する略箱形の鋼板製の外枠２と、外枠２の上部に合成樹脂で形成された上面カバー３と、外枠２の下部に合成樹脂で形成されたベース部材４と、を有しており、ベース部材４の４隅には脚部４ａが嵌挿され、脚部４ａが床面と直接接して洗濯機１本体を支えている。
【００１４】
＜上面カバー＞
上面カバー３の中央部には洗濯物１９等を出し入れする洗濯物投入口３ａを有しており、この洗濯物投入口３ａを開閉するための蓋体３ｂが設けられている。
上面カバー３の内部に有する電気部品は、上面カバー３の前側と後側の２箇所に設けられており、前側にフロントパネル３１、後側にバックパネル３２を装着している。フロントパネル３１には、電源スイッチや洗濯等の各工程などを操作するスイッチを有する入力スイッチ部３３、各工程の進行状況を表示する進行表示部３４等が収納されている。バックパネル３２には、制御部であるコントロールユニット３５、外槽５に洗濯水を給水する給水電磁弁３６、外槽５に溜められた洗濯水の水位を検知する感圧式の水位センサ３７等が収納されている。また、バックパネル３２の外側には、一端が水道の蛇口に接続された給水ホース１０が設けられ、その他端は給水電磁弁３６に接続されている。上面カバー３は、外枠２の上方開口部を包括するように、外枠２上部にフロントパネル３１、バックパネル３２を介して、上方からネジ３９にて外枠２に固着されている。
【００１５】
＜外槽＞
外枠２の枠体内には、洗濯水を溜める有底略円筒状の合成樹脂で形成された外槽５を有している。外槽５は、外枠２の上端から吊り下げ支持する防振機構９により垂下防振支持されている。
【００１６】
外槽５の下部壁面には、水位検出のためのエアートラップ５ａが形成されている。外槽５内の洗濯水の水位の検出は、このエアートラップ５ａから、エアーチューブ３７ａを介し水位検出手段である感圧式の水位センサ３７にて行われる。
例えば洗濯工程等、外槽５に洗濯水を溜める際、コントロールユニット３５は、給水電磁弁３６に開弁指令を送信することにより給水電磁弁３６を開弁させ、外槽５に洗濯水を給水する。そして、コントロールユニット３５は、水位センサ３７により外槽５に溜められた洗濯水の水位を検知し、検知した水位が所定の水位になると、給水電磁弁３６に閉指令を送信することにより給水電磁弁３６を閉弁させ、給水を停止する。
【００１７】
外槽５の底部には、外槽５の洗濯水を排水するための外槽排水口５ｂが形成されている。また、外槽５の底部外側には、排水弁１１および排水ホース１２が設けられ、外槽排水口５ｂと排水弁１１とは嵌着され、排水弁１１と排水ホース１２の一端とは嵌着されており、外槽排水口５ｂ、排水弁１１および排水ホース１２で排水装置を構成している。
例えば洗濯工程等、外槽５に洗濯水を溜める際、コントロールユニット３５は、排水弁１１に閉弁指令を送信することにより排水弁１１を閉弁させ、外槽５に洗濯水を溜める。
また、例えば脱水工程等、外槽５の洗濯水を排水する際、コントロールユニット３５は、排水弁１１に開弁指令を送信することにより排水弁１１を開弁させ、外槽５の洗濯水は、外槽排水口５ｂから排水ホース１２を介して、排水ホース１２の他端（排水弁１１と嵌着された端と反対の端）から洗濯機１の機外へ排水することができるようになっている。
【００１８】
排水ホース１２は、表面に蛇腹（ベローズ）を有しており（図４、図６参照）、合成樹脂にて一体成型されたものである。排水ホース１２は、一端が排水弁１１に嵌着され、ベース部材４の内部空間側の後部に形成されたホース固定支持部４１で固定され、ベース部材４の側面に形成されたホース引出口４４ａ（４４ｂ（図２参照））から、排水ホース１２の他端が洗濯機１の機外（ベース部材４の外部空間側）へ延出する。
【００１９】
また、外槽５の底部外側には、鋼板製の取付けベース１５を介して、駆動用モータ１３および駆動用モータ１３の回転速度を減速する減速機１４が取り付けられている。
【００２０】
＜洗濯兼脱水槽＞
外槽５の内側には、洗濯兼脱水槽６が回転自在に取り付けられている。洗濯兼脱水槽６は、壁面となるステンレス鋼板を用いた円筒形状に形成された胴板６ａと、底面となる椀形状に形成された底板６ｂと、を有しており、底板６ｂが胴板６ａの端部に止着され、軸方向に長い有底円筒形状に形成されている。
洗濯兼脱水槽６の上部には、流体バランサ６ｃを有し、洗濯兼脱水槽６の回転時、洗濯物１９の偏りと反対方向にバランス用の流体が移動して、洗濯物１９の偏りによる外槽５の振動を抑制する。
洗濯兼脱水槽６の側面（胴板６ａ）には、脱水孔６ｄが複数個設けられている。脱水工程時、コントロールユニット３５は、駆動用モータ１３を制御して、洗濯兼脱水槽６を高速で回転させ、洗濯兼脱水槽６の内部の洗濯物１９を遠心脱水し、洗濯物１９に含まれている洗濯水を脱水孔６ｄから洗濯兼脱水槽６の外側（外槽５と洗濯兼脱水槽６との間の空間）に分離して排出する。
【００２１】
また、洗濯兼脱水槽６の内底面の中央部には、攪拌翼７が回転自在に設けられている。攪拌翼７は、駆動用モータ１３の回転速度を減速機１４により減速され、例えば、毎分９０〜１２０回転の回転速度で回転される。洗濯工程時、コントロールユニット３５は、駆動用モータ１３および減速機１４を制御して、攪拌翼７の正転／逆転を繰り返し、洗濯兼脱水槽６の内部の洗濯物１９を上下動に攪拌することにより、洗濯、すすぎ等を行う。
【００２２】
＜防振機構＞
防振機構９は、吊棒８、吊棒保持具８ａ、摺動筒９ａ、防振バネ９ｂ、バネ受９ｃ等から構成されている。吊棒８の上端には凸球面を持った吊棒保持具８ａが固着され、吊棒保持具８ａは外枠２の上部４隅に設けられたコーナープレート２ａの凹球面に嵌着されている。摺動筒９ａは、外槽５に設けられた摺動筒受け５ｃの凹球面に嵌着されるよう凸球面を有し、内部には防振バネ９ｂ、バネ受９ｃを設け、外槽５の振動を抑制している。
【００２３】
＜ベース部材＞
図２は、本実施形態に係る洗濯機１が備えるベース部材４を底面側から見た斜視図である。なお、以下の説明において、洗濯機１の右側面とは洗濯機１を前方向から見た際の右側の側面をいい、洗濯機１の左側面とは、洗濯機１を前方向から見た際の左側の側面をいうものとして、以下に説明する。
ベース部材４は、外枠２（図１参照）とネジ（図示せず）を用いて固定されており、外枠２の鋼板下端部の露出を防止し、耐食性を向上させているとともに、洗濯機１の外部障害からの保護を図っている。
また、合成樹脂製の部材であるベース部材４には、ホース固定支持部４１、ホース拘止部４２、ホース整合部４３、ホース引出口４４ａ，４４ｂがベース部材４と一体に形成されている。
【００２４】
ホース固定支持部４１は、洗濯機１の後部（ベース部材４の内部空間側の後部）に配置され、排水ホース１２を固定する部材である。脱水工程時、洗濯兼脱水槽６を高速で回転させ洗濯兼脱水槽６の内部の洗濯物１９を遠心脱水するが、洗濯物１９の配置に偏り（アンバランス）があると、外槽５に大きな振動が発生する。外槽５の振動は排水弁１１を介して嵌着される排水ホース１２にも伝達するが、ホース固定支持部４１で固定されることにより、排水ホース１２が洗濯機１の内部で大きく振動して洗濯機１の内部機構（例えば、駆動用モータ１３）と接触することを防止している。
なお、ホース固定支持部４１は、外槽５の底部外側に取り付けられた駆動用モータ１３の外径よりも離れた後側に設けられることが望ましい(図４参照)。
【００２５】
ホース固定支持部４１は、略Ｕ字状の断面を持つホース固定部４１１と、略Ｕ字状の断面を持つホース押さえ部４１２と、ホース固定部４１１に形成されたホース固定フック孔部４１３と、ホース押さえ部４１２に形成されたホース固定フック部４１４と、ホース固定部４１１およびホース押さえ部４１２を接続してホース押さえ部４１２を自在に開閉する固定支持ヒンジ部４１５と、ホース固定部４１１の内表面に形成された凸形状部４１６と、ホース押さえ部４１２の内表面に形成された凸形状部４１７と、を有している。
排水ホース１２をホース固定部４１１の略Ｕ字状の内部を通して、ホース押さえ部４１２を固定支持ヒンジ部４１５に沿って排水ホース１２を挟み込むように回転させ、ホース固定フック部４１４をホース固定フック孔部４１３に係合させることにより、排水ホース１２はホース固定支持部４１（ベース部材４）に固定される（図４参照）。この際、凸形状部４１６，４１７が排水ホース１２の表面に有した蛇腹の凹部と嵌着することにより、ホース固定支持部４１は排水ホース１２を拘止する。
【００２６】
ホース拘止部４２およびホース整合部４３は、ホース固定支持部４１で固定された排水ホース１２を洗濯機１の機外へ導くための略Ｕ字状の部材である。
ホース引出口４４ａ，４４ｂは、ベース部材４の内部空間と機外とを連通する開口であり、ホース引出口４４ａはベース部材４の右側面に形成され、ホース引出口４４ｂはベース部材４の左側面に形成されている。
【００２７】
洗濯機１の製造時において、排水ホース１２の一端が排水弁１１に嵌着され、排水ホース１２の途中でホース固定支持部４１によりベース部材４に固定され、残りの排水ホース１２（固定支持部４１により固定された部分から排水ホース１２の他端（吐出側）まで）がベース部材４の内部空間に納められ、排水ホース１２の他端（吐出側）がホース整合部４３で固定されている。
洗濯機１の右側から排水ホース１２を機外に引き出して設置する場合、設置作業者は、ホース固定支持部４１で固定された排水ホース１２を、ホース拘止部４２でガイドされるように配置し、ホース引出口４４ａから排水ホース１２の他端（吐出側）が機外に延出するように配置する。
一方、洗濯機１の左側から排水ホース１２を機外に引き出して設置する場合、設置作業者は、ホース固定支持部４１で固定された排水ホース１２を、ホース拘止部４２でガイドされるように配置し、略１８０度屈曲させて、ホース整合部４３でガイドされるように配置し、ホース引出口４４ｂから排水ホース１２の他端（吐出側）が機外に延出するように配置する。
【００２８】
ホース固定支持部４１について、さらに説明する。
図３は、ベース部材４の排水ホース固定支持部４１を拡大した図２に示すＡ矢視線底面図である。
図３に示すように、ホース固定支持部４１のホース固定部４１１は、ベース部材４の内側壁より内側に突出して排水ホース１２を支持するようになっているが、左側（排水弁１１の接続部側に近い側、排水ホース１２の上流側）の突出する長さ（Ｌａ）の方が、右側（排水弁１１の接続部側に近い側と対する側、排水ホース１２の下流側）の突出する長さ（Ｌｂ）に対して、前方向に突出するよう傾斜している。
即ち、洗濯機１を底面視した際、排水ホース１２の上流側が、左右方向に対して傾斜角度θ１で前方向に傾斜するように、ホース固定支持部４１が排水ホース１２を固定するようになっている。
なお、傾斜角度θ１は、洗濯機１の本体構造上９〜１０°が好適である。
【００２９】
図４は、排水弁１１、排水ホース１２、ホース固定支持部４１の関係を示す洗濯機１の底面図である。なお、図４において、ホース拘止部４２を省略して図示している。
図４に示すように、排水ホース１２は、ホース固定支持部４１に固定した状態において、外槽５下部に設けた排水弁１１の他端（排水ホース１２の一端と嵌着される側の端）の中心方向に導かれる。そして、排水ホース１２は、直立する方向に屈曲し（図６参照）、排水ホース１２の一端が排水弁１１の他端に嵌着される。
このように、ホース固定支持部４１で固定された排水ホース１２が、排水弁１１の他端の中心方向に導かれるため、ホース固定支持部４１と排水弁１１との間の排水ホース１２は、緩やかに屈設される。
【００３０】
図５は、ベース部材４のホース固定支持部４１の図３のＢ−Ｂ矢視線断面図である。
図５に示すように、ホース固定支持部４１のホース固定部４１１は、左側（排水弁１１の接続部側に近い側、排水ホース１２の上流側）の高さ（Ｈａ）の方が、右側（排水弁１１の接続部側に近い側と対する側、排水ホース１２の下流側）の高さ（Ｈｂ）に対して、高くなるように排水ホース１２を支持するようになっている。
即ち、洗濯機１を水平視した際、排水ホース１２の上流側が、洗濯機１が設置される床面に対して（水平面に対して）、傾斜角度θ２で上方向に傾斜するように、ホース固定支持部４１が排水ホース１２を固定するようになっている。
なお、傾斜角度θ２は、洗濯機１の本体構造上９〜１０°が好適である。
これにより、排水ホース１２は、ホース固定支持部４１に固定した状態において、外槽５下部に設けた排水弁１１の方向に導かれるため、ホース固定支持部４１と排水弁１１との間の排水ホース１２は、緩やかに屈設される。
【００３１】
図６の（ａ）は、洗濯・すすぎ運転時の本実施形態に係る洗濯機を後方から見た構成模式図であり、（ｂ）は、図６（ａ）におけるＰ部拡大図である。
図６（ａ）に示すように、洗濯運転およびすすぎ運転時のような外槽５の内部に洗濯水が溜められた状態では、洗濯水と洗濯物１９の重量により防振機構９に有する螺旋状の防振バネ９ｂは圧縮された密着状態となる。この状態において、外槽５は垂直方向の最下点に位置するため、これに連動してホース固定支持部４１と排水弁１１との間の排水ホース１２は、たわんだ状態となる。
【００３２】
従来技術（例えば特許文献１に記載の洗濯機）においては、前記たわんだ状態（外槽が垂直方向の最下点に位置した状態）における排水ホースの状態は、ホース固定支持部と排水弁との間において、略直角に屈曲される。さらに、底面視して、ホース固定支持部から延出する排水ホースは、排水弁の中心方向に向かっておらず、捻れるようにして排水弁に嵌着される。
排水ホース１２は合成樹脂材料で製造されているため、略直角に曲がっている部分は蛇腹凹凸部同士が接近し擦れることによって、洗濯運転およびすすぎ運転時に発生する振動により、排水ホース１２に亀裂や破れが生じるおそれがある。
【００３３】
これに対し、本実施形態に係る洗濯機１においては、図３および図４に示すように、ホース固定支持部４１は、底面視して洗濯機１の幅方向（左右方向）に対して、並行ではなく、傾斜した向きに排水ホース１２を固定する。更に、図５に示すように、ホース固定部４１１とホース押さえ部４１２とで成される略円形断面形状の高さは、洗濯機１の据付床面に対して、排水ホース１２と排水弁１１の接続部側に近い側のホース固定支持部４１の方（Ｈａ）が、他端側（Ｈｂ）よりも高いことから、図６（ｂ）に示すように、ホース固定支持部４１と排水弁１１との間の排水ホース１２に生じる排水ホース１２の屈曲量は低減される。
これにより、洗濯運転およびすすぎ運転時に発生する振動により、排水ホース１２の蛇腹（ベローズ）の凹凸部同士が擦れあって生じる磨耗を軽減することが可能であることから、排水ホース１２に生じる亀裂や破れ等を防止することができる。
【００３４】
また、図６（ｂ）に示すように、たわんだ状態（外槽が垂直方向の最下点に位置した状態）において、排水ホース１２の屈曲部１２ａの蛇腹（ベローズ）の凹凸部同士が互いに接触せず間隔を有するように、傾斜角度θ２を決定することが好適である。
【００３５】
以上、本実施形態に係る洗濯機１によれば、ホース固定支持部４１と排水弁１１との間の排水ホース１２の屈曲量を軽減し、かつ、底面視して排水弁１１とホース固定支持部４１との間を略直線的に排水ホース１２を配置することにより、排水ホース１２の蛇腹の凹凸部同士が擦れあって生じる磨耗を軽減することが可能であることから、排水ホース１２に生じる亀裂や破れ等を防止することができる。
【００３６】
なお、本実施形態に係る洗濯機１は、上記実施形態の構成に限定されるものではなく、発明の趣旨を逸脱しない範囲内で種々の変更が可能である。
本実施形態において、底面視して排水弁１１の右側にホース固定支持部４１を設けるものとして説明したが、左側にあってもよい。
この場合、ホース固定部４１１は、右側（排水弁１１の接続部側に近い側、排水ホース１２の上流側）の突出する長さの方が、左側（排水弁１１の接続部側に近い側と対する側、排水ホース１２の下流側）の突出する長さ（Ｌｂ）に対して、前方向に突出するよう傾斜する。また、右側（排水弁１１の接続部側に近い側、排水ホース１２の上流側）の高さの方が、左側（排水弁１１の接続部側に近い側と対する側、排水ホース１２の下流側）の高さに対して、高くなるように排水ホース１２を支持する。
【符号の説明】
【００３７】
１      洗濯機
２      外枠
３      上面カバー
３ａ    洗濯物投入口
３ｂ    蓋体
３１    フロントパネル
３２    バックパネル
３３    入力スイッチ部
３４    進行表示部
３５    コントロールユニット
３６    給水電磁弁
３７    水位センサ
３７ａ  エアーチューブ
３９    ネジ
４      ベース部材
４ａ    脚部
４１    ホース固定支持部
４１１  ホース固定部（固定部）
４１２  ホース押さえ部（押さえ部）
４１３  ホース固定フック孔部
４１４  ホース固定フック部
４１５  固定支持ヒンジ部（ヒンジ）
４１６、４１７  凸形状部
４２    ホース拘止部
４３    ホース整合部
４４ａ、４４ｂ  排水ホース引出口
５      外槽
５ａ    エアートラップ
５ｂ    外槽排水口（排水手段）
６      洗濯兼脱水槽
６ａ    胴板
６ｂ    底板
６ｃ    流体バランサ
６ｄ    脱水孔
７      攪拌翼
８      吊棒（支持装置）
８ａ    吊棒保持具（支持装置）
９      防振機構（支持装置）
９ａ    摺動筒（支持装置）
９ｂ    防振バネ（支持装置、弾性体）
９ｃ    バネ受（支持装置）
１０    給水ホース
１１    排水弁（排水手段）
１２    排水ホース
１２ａ  屈曲部
１３    駆動用モータ（駆動部）
１４    減速機（駆動部）
１５    取付けベース
１９    洗濯物
【図１】
0005762057.tif 000002
【図２】
0005762057.tif 000003
【図３】
0005762057.tif 000004
【図４】
0005762057.tif 000005
【図５】
0005762057.tif 000006
【図６】
0005762057.tif 000007